(57)【要約】【課題】  梱包がコンパクトに納まり組み立て施工も簡単で、部材増加とならずコスト高が抑えられ、正面視略矩形状となる設置状態が安定して確実に保持されるキャビネットを提供する。【解決手段】  天板１と底板２と両側板３とで構成される正面視略矩形状のキャビネット本体４が正面視略平行四辺形状へと変形し得るように、キャビネット本体４の各コーナー部分で両側板３と天板１、底板２とを各々枢支連結具５を介し回動自在に結合してなるキャビネットにおいて、キャビネット本体４の下側のコーナー部分にこのキャビネット本体４を支持する脚部材６を配設し、脚部材６には側板３と底板２との結合状態を略直角に支持してキャビネット本体４を正面視略矩形状に保持する規制止め部７を設けた。【選択図】図１
2007014447.tif 000002
【特許請求の範囲】
【請求項１】
天板と底板と両側板とで構成される正面視略矩形状のキャビネット本体が正面視略平行四辺形状へと変形し得るように、キャビネット本体の各コーナー部分で両側板と天板、底板とを各々枢支連結具を介し回動自在に結合してなるキャビネットであって、キャビネット本体の下側のコーナー部分にこのキャビネット本体を支持する脚部材を配設し、脚部材には側板と底板との結合状態を略直角に支持してキャビネット本体を正面視略矩形状に保持する規制止め部を設けてなるキャビネット。
【請求項２】
側板の内面下端縁と底板の上面側端縁とが近接するキャビネット本体の内隅付近に枢支連結具の回動中心軸を位置させ、側板の下端面に受け穴を穿設し、この受け穴に挿入嵌合される支持ピンを脚部材から上方に突設すると共に、底板の側端付近の下面に当接される支持片を同脚部材から略水平に突設して、この支持ピンと支持片とで規制止め部を形成したことを特徴とする請求項１記載のキャビネット。
【請求項３】
底板の側端付近の下面に支持片をネジ止めすることにより、脚部材がキャビネット本体に取り付け固定されるようになしたことを特徴とする請求項２記載のキャビネット。
【請求項４】
正面視略矩形状となったキャビネット本体上に設置される洗面ボウルを有した洗面カウンターを備え、同洗面ボウルの下部を納める開口部をキャビネット本体の天板に形成したことを特徴とする請求項１〜３のいずれか一つに記載のキャビネット。
【発明の詳細な説明】
【技術分野】
【０００１】
本願発明は、天板と底板と両側板とで構成される正面視略矩形状のキャビネット本体が正面視略平行四辺形状へと変形し得るようになっており、例えば、洗面台として組み立て設置されるキャビネットに関するものである。
【背景技術】
【０００２】
従来から、図４に示す如く、天板１と底板２と両側板３とで構成される正面視略矩形状のキャビネット本体４が正面視略平行四辺形状へと変形し得るように、キャビネット本体４の各コーナー部分で両側板３と天板１、底板２とを各々枢支連結具５を介し回動自在に結合してなる所謂ノックダウン構造のキャビネットは知られている（特許文献１：特許第２７０６５７１号公報）。この場合、両側板３と天板１、底板２とを工場で予め連結しておくことができて、施工現場では簡単に組み立て設置することができ、運搬時の梱包もコンパクトに納まるという利点がある。
【特許文献１】特許第２７０６５７１号公報
【発明の開示】
【発明が解決しようとする課題】
【０００３】
しかしながら、上記特許文献１に開示された従来例となるキャビネットにおいて、キャビネット本体４をその施工使用時に正面視略矩形状に保持規制するのは、各枢支連結具５に配設される固定ピンとされており、正面視略矩形状に保持規制する部材として別途新たに同固定ピンを要している。このことは、部材増加でコスト高につながり、組み立て施工も複雑化するものである。又、上記特許文献１にはキャビネット本体４を支持する脚部材が示されておらず、キャビネット本体４はその底板２が床に直接載置されて支持されるものであって、正面視略矩形状に安定しては保持され難いものであった。
【０００４】
本願発明は、上記背景技術に鑑みて発明されたものであり、その課題は、梱包がコンパクトに納まり組み立て施工も簡単で、部材増加とならずコスト高が抑えられ、正面視略矩形状となる設置状態が安定して確実に保持されるキャビネットを提供することである。
【課題を解決するための手段】
【０００５】
上記課題を解決するために、本願発明のキャビネットにあっては、天板と底板と両側板とで構成される正面視略矩形状のキャビネット本体が正面視略平行四辺形状へと変形し得るように、キャビネット本体の各コーナー部分で両側板と天板、底板とを各々枢支連結具を介し回動自在に結合してなるキャビネットにおいて、キャビネット本体の下側のコーナー部分にこのキャビネット本体を支持する脚部材を配設し、脚部材には側板と底板との結合状態を略直角に支持してキャビネット本体を正面視略矩形状に保持する規制止め部を設けている。
【発明の効果】
【０００６】
本願発明のキャビネットにおいては、キャビネット本体が正面視略平行四辺形状へと変形し得るようになっているため、梱包がコンパクトに納まり組み立て施工も簡単で、キャビネット本体の下側のコーナー部分にこのキャビネット本体を支持する脚部材が配設されるため、同脚部材によってキャビネット本体は安定状態で保持される。しかも、脚部材には側板と底板との結合状態を略直角に支持してキャビネット本体を正面視略矩形状に保持する規制止め部が設けられているため、脚部材を取り付けることでキャビネット本体は正面視略矩形状に安定して確実に保持されるようになり、同脚部材を兼用することになって部材増加とならずコスト高も抑えられる。
【発明を実施するための最良の形態】
【０００７】
図１〜３は、本願の請求項１〜４全てに対応した一実施形態であるキャビネットを示している。この実施形態のキャビネットは、天板１と底板２と両側板３とで構成される正面視略矩形状のキャビネット本体４が正面視略平行四辺形状へと変形し得るように、キャビネット本体４の各コーナー部分で両側板３と天板１、底板２とを各々枢支連結具５を介し回動自在に結合してなるものである。そして、この場合に、キャビネット本体４の下側のコーナー部分にこのキャビネット本体４を支持する脚部材６を配設し、脚部材６には側板３と底板２との結合状態を略直角に支持してキャビネット本体４を正面視略矩形状に保持する規制止め部７を設けている。
【０００８】
又、この実施形態のキャビネットでは、側板３の内面下端縁と底板２の上面側端縁とが近接するキャビネット本体４の内隅付近に枢支連結具５の回動中心軸５ａを位置させ、側板３の下端面に受け穴８を穿設し、この受け穴８に挿入嵌合される支持ピン７ａを脚部材６から上方に突設すると共に、底板２の側端付近の下面に当接される支持片７ｂを同脚部材６から略水平に突設して、この支持ピン７ａと支持片７ｂとで規制止め部７を形成している。この場合、底板２の側端付近の下面に支持片７ｂをネジ止めすることにより、脚部材６がキャビネット本体４に取り付け固定されるようになしてもいる。しかも、正面視略矩形状となったキャビネット本体４上に設置される洗面ボウル９を有した洗面カウンター１０を備え、同洗面ボウル９の下部を納める開口部１１をキャビネット本体４の天板１に形成している。
【０００９】
以下、この実施形態のキャビネットを、より具体的詳細に説明する。この実施形態のキャビネットは洗面台となるもので、洗面所の床上に組み立て設置される。キャビネット本体４を構成する天板１、底板２、側板３は、木質板や合成樹脂パネルでなり、耐水性に富んだ材質で形成されることが好ましいものである。天板１と底板２とが対応し、両側板３が対応するように、各々相対応して同じ外形寸法の矩形に形成されている。そして、両側板３と天板１、底板２とが各々枢支連結具５を介し回動自在に結合されることにより、図１（ａ）に示す如く、正面視略矩形状のキャビネット本体４となる。
【００１０】
キャビネット本体４は、図１（ｂ）に示す如く、正面視略平行四辺形状へと変形し得るものであり、この変形の最終には、底板２と一方の側板３が略一面状となり、天板１と他方の側板３が略一面状となり、略一面状となった両者が互いに略平行となるよう相対向して、キャビネット本体４全体が扁平状に折り畳まれる。このように、キャビネット本体４は扁平状に折り畳まれた状態でコンパクトに梱包され得るものであり、その際、他部材である脚部材６、洗面カウンター１０、扉板１３等も同梱することができる。
【００１１】
前記枢支連結具５は丁番であり、図２に示す如く、キャビネット本体４の各コーナー部分で前後に配設されている。又、両側板３の後端付近内面にはＬ型金具１２が付設されており、このＬ型金具１２によってキャビネット本体４は洗面所の壁面に取り付け固定される。この場合、キャビネット本体４は前後に開口した箱体であり、後側の開口が壁面で閉塞されることになるが、この後側の開口に背板（図示せず）を取り付け固定することにより閉塞してもよい。なお、Ｌ型金具１２や後述する扉板１３を取り付けるための丁番受け１５等は、工場にて予めキャビネット本体４に付設しておくことができる。
【００１２】
又、キャビネット本体４の前側の開口は、対の扉板１３が両開き式に取り付けられて開閉自在とされるものである。この場合、各扉板１３には各々上下対のスライド丁番１４が予め配置付設されており、キャビネット本体４の両側板３の前端付近内面には上下対の丁番受け１５が配置付設されていて、スライド丁番１４を丁番受け１５に各々取り付け係止させることで、両扉板１３はキャビネット本体４の前側の開口に付設される。なお、キャビネット本体４は脚部材６が取り付けられることで正面視略矩形状に安定して確実に保持されるものであり、洗面カウンター１０や扉板１３等を取り付ける際には同脚部材６を取り付けていることが好ましい。
【００１３】
キャビネット本体４の天板１には、横長略楕円形状の開口部１１が形成されている。図１（ａ）に示す如く、正面視略矩形状となったキャビネット本体４上に洗面ボウル９を有した洗面カウンター１０が設置されるものであり、その際、同洗面ボウル９の下部が前記天板１の開口部１１に納められる。この場合、洗面カウンター１０の両側端縁に垂下突出した凸段部１０ａがキャビネット本体４の両側板３の上端面上に形成される凹段部３ａに係合され、洗面カウンター１０全体がキャビネット本体４の天板１上に被嵌されることにより、洗面カウンター１０はキャビネット本体４上に体裁良く確実に設置される。又、前記凸段部１０ａの下面には両面テープ１６が付設されており、設置される洗面カウンター１０は同両面テープ１６によって簡単に固定される。
【００１４】
洗面カウンター１０はその上面に凹設された洗面ボウル９を有し、合成樹脂、陶器等で一体に形成される。洗面カウンター１０の後端縁にはバックガード部１７が一体に立設されており、洗面ボウル９の後側には吐水カラン（図示せず）が付設される。洗面ボウル９の下部は洗面カウンター１０より下方へ突出しており、キャビネット本体４上に洗面カウンター１０が設置されると、同洗面ボウル９の下部は前記天板１の開口部１１に納められる。そして、洗面ボウル９の排水口１８に接続される排水管等の配管が、キャビネット本体４の内部スペースに収容配管される。
【００１５】
又、図３に示す如く、側板３の内面下端縁と底板２の上面側端縁とが近接するキャビネット本体４の内隅付近に丁番である枢支連結具５の回動中心軸５ａは位置しており、側板３の下端面に受け穴８が穿設されている。脚部材６はキャビネット本体４の底部四隅に配設されるものであり、部材本体１９の下端に接床部２０が突設されてなる。脚部材６は硬質の合成樹脂、金属等で一体に形成されてもよいが、前記接床部２０は滑り難くより安定した設置状態とするために軟質の合成樹脂、ゴム等で形成されることが好ましい。
【００１６】
そして、脚部材６の部材本体１９には、その上方に支持ピン７ａが一体に突設されている。又、脚部材６の部材本体１９の側部には金属製のＬ型部材２１の一辺がネジ２２にて固着一体化されており、このＬ型部材２１の他辺が支持片７ｂとして同脚部材６から略水平に突設されている。支持ピン７ａ及び支持片７ｂは規制止め部７となるもので、支持ピン７ａは前記側板３の下端面の受け穴８に挿入嵌合され、支持片７ｂは底板２の側端付近の下面に当接されるもので、これにより、両側板３と底板２との結合状態が略直角に支持されてキャビネット本体４は正面視略矩形状に保持される。
【００１７】
しかも、この場合、底板２の側端付近の下面に支持片７ｂがビス２４にてネジ止めされることにより、脚部材６はキャビネット本体４に取り付け固定されるもので、その際、支持片７ｂに穿設された透孔２３にビス２４が挿通される。又、脚部材６の部材本体１９の上部がキャビネット本体４の側板３の下端面下に形成される凹段部３ｂに収容されて係合され、これにより、脚部材６はキャビネット本体４の下側の両側コーナー部分前後で体裁良く確実に配設固定される。
【００１８】
したがって、この実施形態のキャビネットにおいては、キャビネット本体４が正面視略平行四辺形状へと変形し得るようになっているため、輸送、運搬時等に、図１（ｂ）に示す如く、同キャビネット本体４を扁平状に折り畳んだ状態にしてコンパクトに梱包することができ、設置施工時には、逆に正面視略矩形状となるように変形させて簡単に組み立てることができる。又、図１（ａ）に示す如く、キャビネット本体４の下側のコーナー部分にこのキャビネット本体４を支持する脚部材６が配設されるため、同脚部材６によってキャビネット本体４は洗面所の床上に安定状態で保持される。
【００１９】
しかも、脚部材６には側板３と底板２との結合状態を略直角に支持してキャビネット本体４を正面視略矩形状に保持する規制止め部７が設けられているため、脚部材６を取り付けることにより同時にキャビネット本体４は正面視略矩形状に安定して確実に保持されるようになる。この場合、キャビネット本体４を支持するための脚部材６が同キャビネット本体４を正面視略矩形状に保持する規制部材としても兼用されることになって、部材増加とならずコスト高も抑えられる。
【００２０】
又、この実施形態のキャビネットにおいては、図３に示す如く、側板３の内面下端縁と底板２の上面側端縁とが近接するキャビネット本体４の内隅付近に枢支連結具５の回動中心軸５ａを位置させているので、底板２に対して側板３は左右どちら側にでも支障なく折り畳まれ、脚部材６を納める凹段部３ｂが側板３の下端面下に形成されることになる。この場合、側板３の下端面に受け穴８を穿設し、この受け穴８に挿入嵌合される支持ピン７ａを脚部材６から上方に突設すると共に、底板４の側端付近の下面に当接される支持片７ｂを同脚部材６から略水平に突設して、この支持ピン７ａと支持片７ｂとで規制止め部７を形成することができる。
【００２１】
しかも、この場合に、底板２の側端付近の下面に支持片７ｂをビス２４でネジ止めすることにより、脚部材６がキャビネット本体４に取り付け固定されるようにしてやると、脚部材６がキャビネット本体４に確実に取り付け固定されると共に、同キャビネット本体４も確実に正面視略矩形状で保持規制されるようになって、規制止め部７は最適に具現化されることになる。
【００２２】
又、この実施形態のキャビネットにおいては、正面視略矩形状となったキャビネット本体４上に設置される洗面ボウル９を有した洗面カウンター１０を備えているので、洗面台としてキャビネットを組み立て設置することができる。そして、この場合に、洗面ボウル９の下部を納める開口部１１をキャビネット本体４の天板１１に形成しているので、洗面ボウル９を大きく形成しても天板１１下に支障なく納められ、天板１１上には洗面カウンター１０が納まり良く確実に設置される。
【図面の簡単な説明】
【００２３】
【図１】本願発明の一実施形態であるキャビネットを示す（ａ）は分解正面図、（ｂ）は梱包時におけるキャビネット本体の正面図。
【図２】同キャビネットのキャビネット本体と扉板とを示す分解斜視図。
【図３】同キャビネットの要部を拡大して示す分解正面図。
【図４】従来例であるキャビネットのキャビネット本体を示す断面図。
【符号の説明】
【００２４】
１  天板
２  底板
３  側板
４  キャビネット本体
５  枢支連結具
５ａ  回動中心軸
６  脚部材
７  規制止め部
７ａ  支持ピン
７ｂ  支持片
８  受け穴
９  洗面ボウル
１０  洗面カウンター
１１  開口部
【図１】
2007014447.tif 000003
【図２】
2007014447.tif 000004
【図３】
2007014447.tif 000005
【図４】
2007014447.tif 000006